(57)【要約】【課題】施工コストやメンテナンス費用を低減しつつ、設計変更に容易に対応できる落下防止構造を提供すること。【解決手段】落下防止構造５０は、窓枠１０と、この窓枠１０内に開閉可能に設けられた外サッシュ窓２０Ａおよび内サッシュ窓２０Ｂと、を備える窓１からの落下を防止する。落下防止構造５０は、窓枠１０および外サッシュ窓２０Ａを構成する縦枠１３および縦框３３の互いに対向する見込み面１３Ａ、３３Ａに取り付けられる一対の受け部材５１と、これら一対の受け部材５１同士の間に設けられた落下防止板５２と、を備える。【選択図】図１
2015045204.tif 000002
【特許請求の範囲】
【請求項１】
窓枠と、当該窓枠内に開閉可能に設けられた窓単体と、を備える窓からの落下を防止する落下防止構造であって、
前記窓枠および前記窓単体を構成する部材の互いに対向する面に取り付けられる一対の受け部材と、
当該一対の受け部材同士の間に設けられた落下防止部材と、を備えることを特徴とする落下防止構造。
【請求項２】
前記落下防止部材は、上下方向に所定間隔おきに設けられた複数のパイプであり、
当該パイプの両端側は、前記受け部材に固定されることを特徴とする請求項１に記載の落下防止構造。
【請求項３】
前記落下防止部材は、複数の開口が形成された透明性を有する面材であり、
当該落下防止部材の両端側は、前記受け部材に固定されることを特徴とする請求項１に記載の落下防止構造。
【請求項４】
前記落下防止部材は、上下方向に所定間隔おきに設けられた複数の横桟と、当該横桟同士の間あるいは当該横桟と前記窓枠の水平部材との間に設けられて複数の開口が形成された透明性を有する面材と、を備え、
前記横桟の水平方向両端側は、前記受け部材に固定されることを特徴とする請求項１に記載の落下防止構造。
【発明の詳細な説明】
【技術分野】
【０００１】
本発明は、落下防止構造に関する。詳しくは、居住者の窓からの転落を防止する落下防止構造に関する。
【背景技術】
【０００２】
従来より、病院、小学校、老人ホームなどの建物では、外部に面した窓に、居住者が窓から転落するのを防止する落下防止構造を設ける場合がある。
この落下防止構造は、例えば、窓枠の外側の面あるいは外壁面に取り付けられた矩形状のフレームと、このフレームに固定された面状の落下防止部材と、を備える（特許文献１、２参照）。
この落下防止部材としては、格子状の部材や、ポリカーボネート製の穴開き板がある。
【先行技術文献】
【特許文献】
【０００３】
【特許文献１】特開２００３−１１３６９４号公報
【特許文献２】特開２００５−２７３３３９号公報
【発明の概要】
【発明が解決しようとする課題】
【０００４】
しかしながら、フレームを取り付ける際に、建物の外壁面に沿って外部足場が必要となるが、落下防止部材の製作期間を確保すると、足場の設置期間が長期化してしまい、その結果、施工コストが上昇する、という問題があった。この問題を解決するために、落下防止部材を早期に発注することが考えられるが、このようにすると、設計変更に対応することが困難になる、という問題があった。
また、フレームに対して経年劣化の点検を行う際、再度外部足場を架設する必要があり、メンテナンス費用が高くなる、という問題があった。
【０００５】
本発明は、施工コストやメンテナンス費用を低減しつつ、設計変更に容易に対応できる落下防止構造を提供することを目的とする。
【課題を解決するための手段】
【０００６】
請求項１に記載の落下防止構造（例えば、後述の落下防止構造５０、６０、７０）は、窓枠（例えば、後述の窓枠１０）と、当該窓枠内に開閉可能に設けられた窓単体（例えば、後述の外サッシュ窓２０Ａおよび内サッシュ窓２０Ｂ）と、を備える窓（例えば、後述の窓１、１Ａ、１Ｂ）からの落下を防止する落下防止構造であって、前記窓枠および前記窓単体を構成する部材（例えば、後述の縦枠１３および縦框３３）の互いに対向する面（例えば、後述の見込み面１３Ａ、３３Ａ）に取り付けられる一対の受け部材（例えば、後述の受け部材５１、６１、７１）と、当該一対の受け部材同士の間に設けられた落下防止部材（例えば、後述の落下防止板５２、落下防止パイプ６２、横桟７２Ａ〜７２Ｃ、および落下防止板７３）と、を備えることを特徴とする。
【０００７】
この発明によれば、落下防止部材を受け部材で窓枠および窓単体に取り付けたので、居住者が落下防止部材を通り抜けて窓から転落するのを確実に防止できる。
また、窓枠および窓単体を構成する部材の互いに対向する面、例えば、窓枠および窓単体の鉛直部材や水平部材の建物外部側の面に、受け部材を取り付けた。そして、この受け部材に落下防止部材を取り付けた。よって、落下防止構造を室内側から後施工でも取り付け可能で、かつ、外部足場が不要であり、施工コストやメンテナンス費用を低減できる。
また、落下防止構造を室内側から取り付けできるので、落下防止部材を早期に発注する必要がなく、設計変更に容易に対応できる。
【０００８】
請求項２に記載の落下防止構造（例えば、後述の落下防止構造６０）は、前記落下防止部材（例えば、後述の落下防止パイプ６２）は、上下方向に所定間隔おきに設けられた複数のパイプであり、当該パイプの両端側は、前記受け部材に固定されることを特徴とする。
【０００９】
この発明によれば、落下防止部材として、窓の開口部の一部に、上下方向に所定間隔おきに複数のパイプを配置することで、外部からの侵入者を抑止する防犯性を確保しながら、居住者が窓の開口部から転落するのを確実に防止できる。
【００１０】
請求項３に記載の落下防止構造（例えば、後述の落下防止構造５０）は、前記落下防止部材（例えば、後述の落下防止板５２）は、複数の開口が形成された透明性を有する面材であり、当該落下防止部材の両端側は、前記受け部材に固定されることを特徴とする。
【００１１】
この発明によれば、複数の開口が形成された透明性を有する面材を落下防止部材として用いることで、優れた換気性と建物内部からの眺望とを確保しながら、居住者が窓の開口部から転落するのを確実に防止できる。
【００１２】
請求項４に記載の落下防止構造（例えば、後述の落下防止構造７０）は、前記落下防止部材は、上下方向に所定間隔おきに設けられた複数の横桟（例えば、後述の横桟７２Ａ〜７２Ｃ）と、当該横桟同士の間あるいは当該横桟と前記窓枠の水平部材との間に設けられて複数の開口が形成された透明性を有する面材（例えば、後述の落下防止板７３）と、を備え、前記横桟の水平方向両端側は、前記受け部材に固定されることを特徴とする。
【発明の効果】
【００１３】
本発明によれば、落下防止部材を受け部材で窓枠および窓単体に取り付けたので、居住者が落下防止部材を通り抜けて窓から転落するのを確実に防止できる。また、窓枠および窓単体を構成する部材の互いに対向する面、例えば、窓枠および窓単体の鉛直部材や水平部材の建物外部側の面に、受け部材を取り付けた。そして、この受け部材に落下防止部材を取り付けた。よって、落下防止構造を室内側から後施工でも取り付け可能で、かつ、外部足場が不要であり、施工コストやメンテナンス費用を低減できる。また、落下防止構造を室内側から取り付けできるので、落下防止部材を早期に発注する必要がなく、設計変更に容易に対応できる。
【図面の簡単な説明】
【００１４】
【図１】本発明の第１実施形態に係る落下防止構造が取り付けられた窓の室内側から視た正面図である。
【図２】図１のＡ−Ａ線で切断した横断面図である。
【図３】図１のＢ−Ｂ線で切断した縦断面図である。
【図４】図１の一点鎖線で囲んだ部分の拡大斜視図である。
【図５】本発明の第２実施形態に係る落下防止構造が取り付けられた窓の室内側から視た正面図である。
【図６】図５のＣ−Ｃ線で切断した横断面図である。
【図７】図５のＤ−Ｄ線で切断した縦断面図である。
【図８】前記実施形態に係る落下防止構造の分解斜視図である。
【図９】本発明の第３実施形態に係る落下防止構造が取り付けられた窓の室内側から視た正面図である。
【図１０】図９のＥ−Ｅ線で切断した横断面図である。
【図１１】図９のＦ−Ｆ線で切断した縦断面図である。
【図１２】図９の一点鎖線で囲んだ部分の拡大斜視図である。
【発明を実施するための形態】
【００１５】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る落下防止構造５０が取り付けられた窓１の室内側から視た正面図である。図２は、図１のＡ−Ａ線で切断した横断面図であり、図３は、図１のＢ−Ｂ線で切断した縦断面図である。図４は、図１の一点鎖線で囲んだ部分の拡大斜視図である。
なお、図１では、理解の容易のため、内サッシュ窓２０Ｂの表示を省略している。
【００１６】
窓１は、引き違い窓であり、壁２に取り付けられている。この窓１は、矩形枠状の窓枠１０と、この窓枠１０内にスライドして開閉可能に設けられた窓単体としての外サッシュ窓２０Ａおよび内サッシュ窓２０Ｂと、を備える。
窓枠１０は、直線状に延びる水平部材としての上枠１１および下枠１２、ならびに、鉛直部材としての一対の縦枠１３を、方形状に連結して構成されている。この窓枠１０の室内側には、全周に亘って額縁３が取り付けられている。
【００１７】
外サッシュ窓２０Ａおよび内サッシュ窓２０Ｂは、矩形枠状の框３０と、この框３０の開口部に装着されたガラス４０と、を備える。
框３０は、直線状に延びる水平部材としての上框３１、下框３２、および、鉛直部材としての一対の縦框３３を、方形状に連結して構成されている。
【００１８】
落下防止構造５０は、窓１からの居住者の転落を防止するものであり、窓枠１０内の外サッシュ窓２０Ａがスライド移動する経路上に設けられる。この落下防止構造５０は、窓枠１０の縦枠１３と外サッシュ窓２０Ａの縦框３３に取り付けられる一対の受け部材５１と、これら一対の受け部材５１同士の間に設けられた落下防止部材としての板状の落下防止板５２と、を備える。
【００１９】
受け部材５１は、図４に示すように、縦枠１３および縦框３３の見込み面１３Ａ、３３Ａに取り付けられる取付面部５４と、この取付面部５４の側端から見付け方向に延びる板材支持部５５とを有する略Ｌ字板状である。
取付面部５４は、ワンウェイビス５３を用いて、上下方向に所定間隔おきに、縦枠１３および縦框３３にビス止めされている。このワンウェイビス５３は、ビスを締め付ける方向には回転するが、ビスを緩める方向には回転し難く、取り外しできない構造のビスである。
【００２０】
また、取付面部５４が取り付けられる縦框３３の内部、および、取付面部５４が取り付けられる縦枠１３の壁２側の面には、下地補強として裏板５６が設けられている。
【００２１】
落下防止板５２は、複数の円形の開口５７が形成されたポリカーボネート製の透明性を有する面材である。この落下防止板５２の水平方向両端側は、受け部材５１の板材支持部５５にワンウェイビス５３で固定される。
【００２２】
本実施形態によれば、以下のような効果がある。
（１）落下防止板５２を受け部材５１で窓枠１０および外サッシュ窓２０Ａに取り付けたので、居住者が落下防止板５２を通り抜けて窓１から転落するのを確実に防止できる。
また、窓枠１０の縦枠１３および外サッシュ窓２０Ａの縦框３３の互いに対向する面、つまり、縦枠１３の見込み面１３Ａおよび縦框３３の見込み面３３Ａに、受け部材５１を取り付けた。そして、この受け部材５１に落下防止板５２を取り付けた。よって、落下防止構造５０を室内側から後施工でも取り付け可能で、かつ、外部足場が不要であり、施工コストやメンテナンス費用を低減できる。
また、落下防止構造５０を室内側から取り付けできるので、落下防止板５２を早期に発注する必要がなく、設計変更に容易に対応できる。
【００２３】
（２）複数の円形の開口５７が形成された透明性を有する面材である落下防止板５２を用いることで、優れた換気性と建物内部からの眺望とを確保しながら、居住者が窓１の開口部から転落するのを確実に防止できる。
【００２４】
（３）落下防止構造５０を外サッシュ窓２０Ａの移動経路上に設けたので、外サッシュ窓２０Ａの移動を制限するので、居住者が外サッシュ窓２０Ａを開いて窓１から転落するのを確実に防止できる。
【００２５】
（４）ワンウェイビス５３を固定ビスとして用いたので、居住者などにより落下防止構造５０が取り外されるのを防止できる。
【００２６】
（５）外サッシュ窓２０Ａの縦框３３の内部、および、取付面部５４が取り付けられる縦枠１３の壁２側の面に、下地補強として裏板５６を設けたので、この裏板５６により、縦框３３の剛性を向上できる。
【００２７】
（６）受け部材５１の複数箇所を縦枠１３および縦框３３にビス止めしたので、窓開口の高さ寸法が大きい場合であっても、受け部材５１が撓んで隙間が大きくなるのを容易に防止できる。
【００２８】
〔第２実施形態〕
図５は、本発明の第２実施形態に係る落下防止構造６０が取り付けられた窓１Ａの正面図である。図６は、図５のＣ−Ｃ線で切断した横断面図であり、図７は、図５のＤ−Ｄ線で切断した縦断面図である。
本実施形態では、落下防止構造６０の構造が第１実施形態と異なる。
すなわち、落下防止構造６０は、窓枠１０の縦枠１３と外サッシュ窓２０Ａの縦框３３に取り付けられる一対の受け部材６１と、これら一対の受け部材６１同士の間に設けられた落下防止部材としての複数の落下防止パイプ６２と、を備える。
【００２９】
受け部材６１は、縦枠１３および縦框３３の見込み面１３Ａ、３３Ａに取り付けられる板状である。すなわち、この受け部材６１は、ワンウェイビス６３を用いて、上下方向に所定間隔おきに、縦枠１３および縦框３３にビス止めされている。
落下防止パイプ６２は、上下方向に所定間隔おきに設けられて略水平に延びる円筒形状であり、これら落下防止パイプ６２の両端側は、受け部材６１の表面に固定されている。なお、この落下防止パイプ６２の断面形状は、円形状に限らず、矩形状などその他の形状でもよい。
【００３０】
以上の落下防止構造６０は、以下の手順で組み立てられる。
まず、図８に示すように、組合せ部材６４、６５を用意する。
組合せ部材６４は、受け部材６１と、この受け部材６１の表面に立設された落下防止パイプ６２と、を備える。
組合せ部材６５は、受け部材６１と、この受け部材６１の表面に立設されて落下防止パイプ６２に挿入可能な円筒形状の挿入パイプ６６と、を備える。
【００３１】
次に、図８中矢印で示すように、組合せ部材６５の挿入パイプ６６を組合せ部材６４の落下防止パイプ６２に差し込む。この状態で、ワンウェイビス６３により、組合せ部材６４の受け部材６１を縦枠１３の見込み面１３Ａに取り付けるとともに、組合せ部材６５の受け部材６１を縦框３３の見込み面３３Ａに取り付ける。
【００３２】
本実施形態によれば、上述の（１）、（３）〜（６）の効果に加えて、以下の効果がある。
【００３３】
（７）窓１の開口部の一部に、上下方向に所定間隔おきに複数の落下防止パイプ６２を配置することで、外部からの侵入者を抑止する防犯性を確保しながら、居住者が窓１の開口部から転落するのを確実に防止できる。
【００３４】
（８）組合せ部材６４、６５を予め工場で製作しておくことで、施工現場ではこれら組合せ部材６４、６５を組み合わせるだけでよいので、落下防止構造６０を窓１に容易に取り付けできる。
【００３５】
〔第３実施形態〕
図９は、本発明の第３実施形態に係る落下防止構造７０が取り付けられた窓１Ｂの正面図である。図１０は、図９のＥ−Ｅ線で切断した横断面図であり、図１１は、図９のＦ−Ｆ線で切断した縦断面図である。図１２は、図９の一点鎖線で囲んだ部分の拡大斜視図である。
【００３６】
本実施形態では、落下防止構造７０の構造が第１実施形態と異なる。
すなわち、落下防止構造７０は、窓枠１０の縦枠１３と外サッシュ窓２０Ａの縦框３３に取り付けられる一対の受け部材７１と、これら一対の受け部材７１同士の間に設けられた落下防止部材としての複数の横桟７２Ａ、７２Ｂ、７２Ｃおよび３枚の落下防止板７３と、を備える。
【００３７】
受け部材７１は、図示しないワンウェイビスにより縦枠１３および縦框３３の見込み面１３Ａ、３３Ａに取り付けられる取付面部７５と、取付面部７５の両端から見付け方向に延びる一対の横桟支持部７６と、を有する略コの字形状である。
横桟７２Ａ〜７２Ｃは、上下方向に所定間隔おきに設けられて略水平に延びており、これら横桟７２Ａ〜７２Ｃの両端側は、受け部材７１の一対の横桟支持部７６で挟持される。
【００３８】
横桟７２Ａ〜７２Ｃのうち、上端に位置するものを横桟７２Ａとし、下端に位置するものを横桟７２Ｂとし、残りを横桟７２Ｃとする。
横桟７２Ａは、略水平に延びる支持面部７７と、この支持面部７７の両端から下方に延びる一対の挟持部７８Ａと、を備える略コの字形状である。
横桟７２Ｂは、略水平に延びる支持面部７７と、この支持面部７７の両端から上方に延びる一対の挟持部７８Ｂと、を備える略コの字形状である。
横桟７２Ｃは、略水平に延びる支持面部７７と、この支持面部７７の両端から上下に延びる一対の挟持部７８Ｃと、を備える略Ｈの字形状である。
【００３９】
落下防止板７３は、ポリカーボネート製の透明性を有する面材である。
３枚の落下防止板７３のうち、上側と下側の落下防止板７３には、複数の円形の開口７９が形成されており、中央の落下防止板７３には、上下方向に延びるスリット８０が形成されている。
これら落下防止板７３の上下端は、横桟７２Ａ〜７２Ｃの挟持部７８Ａ〜７８Ｃに差し込まれて挟持されている。
【００４０】
本実施形態によれば、上述の（１）〜（７）の効果に加えて、以下の効果がある。
【００４１】
（９）落下防止板７３の高さ寸法は、第１実施形態の落下防止板５２の高さ寸法よりも低くなるので、落下防止板７３を落下防止板５２よりも薄くできる。
【００４２】
なお、本発明は前記実施形態に限定されるものではなく、本発明の目的を達成できる範囲での変形、改良等は本発明に含まれるものである。
例えば、上述の各実施形態では、受け部材５１、６１、７１を、窓枠１０および外サッシュ窓２０Ａを構成する鉛直部材、つまり、縦枠１３および縦框３３に取り付けたが、これに限らない。例えば、受け部材５１、６１、７１を、窓枠１０および外サッシュ窓２０Ａを構成する水平部材、つまり、上枠１１および下枠１２に取り付けてもよい。
【００４３】
また、上述の各実施形態では、落下防止構造５０、６０、７０を引き違い窓１に適用したが、これに限らず、上げ下げ窓など、その他の構造の窓にも適用できる。本発明の落下防止構造を上げ下げ窓に適用する場合、例えば、受け部材を、窓枠の下枠および外サッシュ窓の下框に取り付ける。
【００４４】
また、落下防止板５２および落下防止板７３をポリカーボネート製としたが、これに限らず、ポリスチレンやアクリルなどの透明なプラスチック製としてもよい。
【符号の説明】
【００４５】
１、１Ａ、１Ｂ…窓
２…壁
３…額縁
１０…窓枠
１１…上枠
１２…下枠
１３…縦枠（窓枠を構成する部材）
１３Ａ…見込み面
２０Ａ…外サッシュ窓（窓単体）
２０Ｂ…内サッシュ窓（窓単体）
３０…框
３１…上框
３２…下框
３３…縦框（窓単体を構成する部材）
３３Ａ…見込み面
４０…ガラス
５０…落下防止構造
５１…受け部材
５２…落下防止板（落下防止部材）
５３…ワンウェイビス
５４…取付面部
５５…板材支持部
５６…裏板
５７…円形の開口
６０…落下防止構造
６１…受け部材
６２…落下防止パイプ（落下防止部材）
６３…ワンウェイビス
６４、６５…組合せ部材
６６…挿入パイプ
７０…落下防止構造
７１…受け部材
７２Ａ、７２Ｂ、７２Ｃ…横桟（落下防止部材）
７３…落下防止板（落下防止部材）
７５…取付面部
７６…横桟支持部
７７…支持面部
７８Ａ、７８Ｂ、７８Ｃ…挟持部
７９…円形の開口
８０…スリット
【図１】
2015045204.tif 000003
【図２】
2015045204.tif 000004
【図３】
2015045204.tif 000005
【図４】
2015045204.tif 000006
【図５】
2015045204.tif 000007
【図６】
2015045204.tif 000008
【図７】
2015045204.tif 000009
【図８】
2015045204.tif 000010
【図９】
2015045204.tif 000011
【図１０】
2015045204.tif 000012
【図１１】
2015045204.tif 000013
【図１２】
2015045204.tif 000014